(57)【要約】【課題】赤外カットフィルタが光源ランプからの熱放射を長時間受けても劣化せず、長期間にわたって支障なく使用することができる内視鏡用光源装置を提供すること。【解決手段】内視鏡の照明用ライトガイド５１の入射端５１ａと光源ランプ２との間に、光源ランプ２から放射される照明光に含まれる赤外領域付近の波長の光線をカットするための赤外カットフィルタ３が設けられた内視鏡用光源装置において、赤外カットフィルタ３を保持するためのフィルタ保持枠４を熱伝導性のよい金属材で形成すると共に、赤外カットフィルタ３の外縁寄りの部分をフィルタ保持枠４面に密着する状態に押し付けるスプリング５を設けた。【選択図】      図１
2007006926.tif 000002
【特許請求の範囲】
【請求項１】
内視鏡の照明用ライトガイドの入射端と光源ランプとの間に、上記光源ランプから放射される照明光に含まれる赤外領域付近の波長の光線をカットするための赤外カットフィルタが設けられた内視鏡用光源装置において、
上記赤外カットフィルタを保持するためのフィルタ保持枠を熱伝導性のよい金属材で形成すると共に、上記赤外カットフィルタの外縁寄りの部分を上記フィルタ保持枠面に密着する状態に押し付けるスプリングを設けたことを特徴とする内視鏡用光源装置。
【請求項２】
上記光源ランプから放射された照明光を通過させるための照明光通過窓が上記フィルタ保持枠に形成されていて、上記照明光通過窓を通過する照明光が全て上記赤外カットフィルタに当たる請求項１記載の内視鏡用光源装置。
【請求項３】
上記フィルタ保持枠が、上記赤外カットフィルタの外縁寄りの部分が押し付けられるフィルタ受け部材と、上記スプリングの固定端が受けられるスプリング受け部材とを含んでいる請求項１又は２記載の内視鏡用光源装置。
【請求項４】
上記フィルタ受け部材と上記スプリング受け部材のうち少なくとも上記フィルタ受け部材が熱伝導性のよい金属材で形成されている請求項３記載の内視鏡用光源装置。
【請求項５】
上記フィルタ受け部材が平板状に形成されている請求項３又は４記載の内視鏡用光源装置。
【請求項６】
上記フィルタ受け部材が上記スプリング受け部材より上記光源ランプ側に配置されている請求項３、４又は５記載の内視鏡用光源装置。
【請求項７】
上記スプリング受け部材が上記フィルタ受け部材より上記光源ランプ側に配置されている請求項３、４又は５記載の内視鏡用光源装置。
【請求項８】
上記赤外カットフィルタと上記フィルタ保持枠より上記光源ランプ寄りの位置に、上記照明光が上記フィルタ保持枠に当たるのを遮蔽するための遮光部材が配置されている請求項１ないし７のいずれかの項に記載の内視鏡用光源装置。
【請求項９】
上記フィルタ保持枠に、放熱フィンが突出形成されている請求項１ないし８のいずれかの項に記載の内視鏡用光源装置。
【請求項１０】
上記フィルタ保持枠が冷却ファンにより流される冷却風の流路中に配置されている請求項１ないし９のいずれかの項に記載の内視鏡用光源装置。
【請求項１１】
上記フィルタ保持枠に冷却風を送るための冷却ファンが、上記光源ランプに冷却風を送るための冷却ファンとは独立して併設されている請求項１０記載の内視鏡用光源装置。
【請求項１２】
上記フィルタ保持枠に冷却風を送るための冷却ファンが、上記光源ランプに冷却風を送るための冷却ファンと共用されている請求項１０記載の内視鏡用光源装置。
【発明の詳細な説明】
【技術分野】
【０００１】
この発明は、内視鏡の照明用ライトガイドに照明光を供給するための内視鏡用光源装置に関する。
【背景技術】
【０００２】
内視鏡用光源装置には一般に、光源ランプから放射される照明光に含まれる赤外領域付近の波長の光線をカットするための赤外カットフィルタが、光源ランプと内視鏡の照明用ライトガイドの入射端との間に設けられている（例えば、特許文献１）。
【特許文献１】特許第３０６８７０２号
【発明の開示】
【発明が解決しようとする課題】
【０００３】
赤外カットフィルタとしては、ガラス基板に誘電体多層膜を蒸着したもの等が用いられるが、光源ランプからの熱放射を長時間受けると、蒸着膜の剥離やガラス基板自体の熱劣化による破損等が発生する場合があった。
【０００４】
そこで本発明は、赤外カットフィルタが光源ランプからの熱放射を長時間受けても劣化せず、長期間にわたって支障なく使用することができる内視鏡用光源装置を提供することを目的とする。
【課題を解決するための手段】
【０００５】
上記の目的を達成するため、本発明の内視鏡用光源装置は、内視鏡の照明用ライトガイドの入射端と光源ランプとの間に、光源ランプから放射される照明光に含まれる赤外領域付近の波長の光線をカットするための赤外カットフィルタが設けられた内視鏡用光源装置において、赤外カットフィルタを保持するためのフィルタ保持枠を熱伝導性のよい金属材で形成すると共に、赤外カットフィルタの外縁寄りの部分をフィルタ保持枠面に密着する状態に押し付けるスプリングを設けたものである。
【０００６】
なお、光源ランプから放射された照明光を通過させるための照明光通過窓がフィルタ保持枠に形成されていて、照明光通過窓を通過する照明光が全て赤外カットフィルタに当たるようにしてもよい。
【０００７】
また、フィルタ保持枠が、赤外カットフィルタの外縁寄りの部分が押し付けられるフィルタ受け部材と、スプリングの固定端が受けられるスプリング受け部材とを含んでいてもよく、その場合、フィルタ受け部材とスプリング受け部材のうち少なくともフィルタ受け部材が熱伝導性のよい金属材で形成されていてもよい。そして、フィルタ受け部材が平板状に形成されていてもよい。
【０００８】
なお、フィルタ受け部材がスプリング受け部材より光源ランプ側に配置されていてもよく、或いは、スプリング受け部材がフィルタ受け部材より光源ランプ側に配置されていてもよい。
【０００９】
また、赤外カットフィルタとフィルタ保持枠より光源ランプ寄りの位置に、照明光がフィルタ保持枠に当たるのを遮蔽するための遮光部材が配置されていてもよく、フィルタ保持枠に、放熱フィンが突出形成されていてもよい。
【００１０】
また、フィルタ保持枠が冷却ファンにより流される冷却風の流路中に配置されていてもよく、その場合、フィルタ保持枠に冷却風を送るための冷却ファンが、光源ランプに冷却風を送るための冷却ファンとは独立して併設されていてもよく、或いは、フィルタ保持枠に冷却風を送るための冷却ファンが、光源ランプに冷却風を送るための冷却ファンと共用されていてもよい。
【発明の効果】
【００１１】
本発明によれば、赤外カットフィルタを保持するためのフィルタ保持枠を熱伝導性のよい金属材で形成すると共に、赤外カットフィルタの外縁寄りの部分をフィルタ保持枠面に密着する状態に押し付けるスプリングを設けたことにより、赤外カットフィルタの温度が上昇してもその熱がフィルタ保持枠に効率よく伝達されて周囲に放熱されるので、赤外カットフィルタが光源ランプからの熱放射を長時間受けても劣化せず、長期間にわたって支障なく使用することができる。
【発明を実施するための最良の形態】
【００１２】
内視鏡の照明用ライトガイドの入射端と光源ランプとの間に、光源ランプから放射される照明光に含まれる赤外領域付近の波長の光線をカットするための赤外カットフィルタが設けられた内視鏡用光源装置において、赤外カットフィルタを保持するためのフィルタ保持枠を熱伝導性のよい金属材で形成すると共に、赤外カットフィルタの外縁寄りの部分をフィルタ保持枠面に密着する状態に押し付けるスプリングが設けられている。
【実施例】
【００１３】
図面を参照して本発明の実施例を説明する。
図１は本発明の第１の実施例の内視鏡用光源装置の平面断面図であり、光源装置のフロントパネル１の外面側には、内視鏡のライトガイドコネクタ５０が着脱自在に差し込まれるコネクタ受け１Ａが配置されている。
【００１４】
光源装置内には、例えばキセノンランプ等からなる光源ランプ２が配置されている。１０は、光源ランプ２に冷却風を送るための冷却ファンである。光源ランプ２から放射された照明光は、ライトガイドコネクタ５０の先端面に配置された照明用ライトガイドファイババンドル５１の入射端面５１ａ付近に収束して、照明光が照明用ライトガイドファイババンドル５１に供給される。
【００１５】
その照明用ライトガイドファイババンドル５１の入射端面５１ａと光源ランプ２との間には、光源ランプ２から放射される照明光に含まれる赤外領域付近の波長の光線（即ち、赤外領域と近赤外領域の少なくとも一方の領域の波長の光線）をカットするための円板状の赤外カットフィルタ３が配置されている。赤外カットフィルタ３としては、例えばガラス基板に誘電体多層膜が蒸着された反射型フィルタ、又は色ガラスタイプの吸収型フィルタ等を用いることができる。
【００１６】
赤外カットフィルタ３は、光源装置内のフレーム等に固定されているフィルタ保持枠４に保持されており、本実施例のフィルタ保持枠４は、赤外カットフィルタ３がスプリング５によってライトガイドコネクタ５０側から光源ランプ２側に向かって押し付けられる平板状のフィルタ受け部材４Ａと、赤外カットフィルタ３よりライトガイドコネクタ５０側の位置においてスプリング５の固定端を受けるスプリング受け部材４Ｂとにより構成され、固定ビス６によってフィルタ受け部材４Ａとスプリング受け部材４Ｂとが一体に固定されている。
【００１７】
フィルタ受け部材４Ａとスプリング受け部材４Ｂは、例えばアルミニウムや銅又はその合金材等のように熱伝導率の大きな金属材で形成されている。ただし、この実施例では少なくともフィルタ受け部材４Ａが熱伝導率の大きな金属材で形成されていればよい。
【００１８】
その部分を分解して図示する図２にも示されるように、この実施例ではスプリング５として円弧状の複数の板バネが用いられている。スプリング５は、フィルタ受け部材４Ａとスプリング受け部材４Ｂとの間に挟みこまれて赤外カットフィルタ３をフィルタ受け部材４Ａの板面に押し付け、それによって赤外カットフィルタ３の外縁寄りの部分がフィルタ受け部材４Ａと密着する。ただし、スプリング５としてコイルスプリング等を用いてもよく、耐熱ゴム製のＯリング等のような非金属製のスプリングを用いることもできる。
【００１９】
フィルタ受け部材４Ａには光源ランプ２から放射された照明光を通過させるための円形の照明光通過窓７が穿設されており、光源ランプ２側から見てフィルタ受け部材４Ａの裏側の面の照明光通過窓７の周囲の部分に、赤外カットフィルタ３の外縁寄りの部分全体がスプリング５の付勢力により密着する状態に押し付けられる。
【００２０】
そして、照明光通過窓７を通過する照明光は全て赤外カットフィルタ３に当たって、そこで赤外領域付近の波長の光線がカットされる。スプリング受け部材４Ｂは、フィルタ受け部材４Ａの照明光通過窓７より大きな径の孔が中央に形成された蓋状に形成されている。
【００２１】
また、図１に示されるように、光源ランプ２から放射された照明光がフィルタ受け部材４Ａに当たるのを遮蔽するための平板状の遮光部材８が、光源ランプ２とフィルタ受け部材４Ａとの間に配置されている。
【００２２】
遮光部材８には、フィルタ受け部材４Ａの照明光通過窓７と同程度の径のマスク孔９が穿設されている。その結果、フィルタ保持枠４Ａには照明光が殆ど当たらないので、光源ランプ２から照明光が直接当たることによるフィルタ受け部材４Ａの温度上昇が大幅に抑制される。
【００２３】
このように構成された実施例の内視鏡用光源装置においては、光源ランプ２から放射される照明光に含まれる赤外領域付近の波長の光線が赤外カットフィルタ３でカットされ、赤外カットフィルタ３の温度が上昇すると、赤外カットフィルタ３の外縁付近と密着している伝熱性のよいフィルタ受け部材４Ａにその熱が伝導されて周囲の空間に放熱されるので、光源ランプ２が長時間連続して点灯されても赤外カットフィルタ３の温度上昇が大幅に抑制され、赤外カットフィルタ３の蒸着膜の剥離やガラス基板の劣化等が発生しない。
【００２４】
なお、本発明は上記実施例に限定されるものではなく、例えば図３に示されるように、フィルタ受け部材４Ａに多数の放熱フィン４１を突出形成すれば、フィルタ受け部材４Ａから周囲の空間への放熱がより効果的に行われる。
【００２５】
また、図４に示されるように、光源ランプ２を冷却するための冷却ファン１０とは別にフィルタ保持枠４に冷却風を送るための冷却ファン１０′を併設すれば、フィルタ受け部材４Ａから周囲への放熱をより大量に行うことができ、図５に示されるように、一つの冷却ファン１０により、光源ランプ２とフィルタ保持枠４の双方に冷却風を送るように構成してもよい。
【００２６】
また、図６に示されるように、第１の実施例とはフィルタ受け部材４Ａとスプリング受け部材４Ｂの配置を逆にして、スプリング受け部材４Ｂをフィルタ受け部材４Ａより光源ランプ２側に配置し、赤外カットフィルタ３をスプリング５によって光源ランプ２側からライトガイドコネクタ５０側に向かって付勢してフィルタ受け部材４Ａに押し付けるように構成してもよい。
【図面の簡単な説明】
【００２７】
【図１】本発明の第１の実施例の内視鏡用光源装置の平面断面図である。
【図２】本発明の第１の実施例の内視鏡用光源装置の部分分解斜視図である。
【図３】本発明の第２の実施例の内視鏡用光源装置のフィルタ受け部材の斜視図である。
【図４】本発明の第３の実施例の内視鏡用光源装置の平面断面図である。
【図５】本発明の第４の実施例の内視鏡用光源装置の平面断面図である。
【図６】本発明の第５の実施例の内視鏡用光源装置の平面断面図である。
【符号の説明】
【００２８】
２  光源ランプ
３  赤外カットフィルタ
４  フィルタ保持枠
４Ａ  フィルタ受け部材
４Ｂ  スプリング受け部材
５  スプリング
７  照明光通過窓
８  遮光部材
１０，１０′  冷却ファン
５０  ライトガイドコネクタ
５１  ライトガイドファイババンドル（照明用ライトガイド）
５１ａ  入射端面
【図１】
2007006926.tif 000003
【図２】
2007006926.tif 000004
【図３】
2007006926.tif 000005
【図４】
2007006926.tif 000006
【図５】
2007006926.tif 000007
【図６】
2007006926.tif 000008